(57)【要約】      （修正有）【課題】右のドアが開閉可能に構成された樹脂製のボディに対して金属製の補強部材を固定するように構成した観賞用の自動車型模型において、ボディのドア下の裾エリアを金属製の補強部材に確実に当接させて、ドアの開閉の安定性をより向上させることができる自動車型模型を提供する。【解決手段】左右のドア１２が開閉可能に取り付けられる樹脂製のボディ１０に金属製の補強部材２０を固定するとともに、ドア１２の下に位置する裾部位を補強部材２０のフレーム部２９に固定することにより、細部の加工が容易にできるようにボディ１０を樹脂により成形しつつも、金属製の補強部材２０によってボディ１０（特に、ドア１２の真下に位置するサイドシル部材１３の部分）が撓みにくくなるようにして、ドア１２の開閉の安定性を出すことができるようにするとともに、ユーザが手に持ったときの重量感を出すこともできるようにする。【選択図】図１
2019097582.tif 000002
【特許請求の範囲】
【請求項１】
左右のドアが開閉可能に取り付けられる樹脂製のボディと、
上記ボディの内側に固定される金属製の補強部材と、
上記補強部材に固定されるシャーシとを備え、
上記補強部材は、上記ボディの上記ドアの下に位置する裾部位が固定されるフレーム部を有していることを特徴とする自動車型模型。
【請求項２】
上記ボディの上記裾部位と、上記補強部材の上記フレーム部とをネジによって固定させることを特徴とする請求項１に記載の自動車型模型。
【請求項３】
上記補強部材は、複数のホイールハウスを更に有し、
上記フレーム部は、上記ホイールハウスの幅方向の最外位置よりも内側の位置に存在し、
上記ボディの上記裾部位は、上記フレーム部に当接するように、上記ドアの最下部の位置よりも内側の位置に設けられ、
上記裾部位を覆うサイドシル部材を更に備えたことを特徴とする請求項１または２に記載の自動車型模型。
【請求項４】
上記補強部材は、複数のホイールハウスを更に有し、
上記フレーム部は、上記ホイールハウスの幅方向の最外位置と同位置に存在し、
上記ボディの上記裾部位は、上記フレーム部に当接するようになされた、上記ドアの下に位置するサイドシルであることを特徴とする請求項１に記載の自動車型模型。
【請求項５】
上記ボディの上記裾部位の内面および上記補強部材の上記フレーム部の外面のそれぞれに、上記裾部位と上記フレーム部とを係合させる係合部を設けたことを特徴とする請求項１または４に記載の自動車型模型。
【発明の詳細な説明】
【技術分野】
【０００１】
本発明は、自動車型模型に関するものである。
【背景技術】
【０００２】
従来、自動車型模型（ミニカー）は、子供向けの玩具として、または大人の目に堪えうる鑑賞用として広く親しまれている。観賞用のミニカーは、眺めてその美しさを楽しみたい、欲しいクルマの姿形だけでも手元に置いておきたいといったユーザ向けの商品であるため、できる限り本物のクルマに似せて精巧に作り込むことが求められている。そのため、外装から内装まで本物のクルマをリアルに再現した観賞用ミニカーが提供されてきた。
【０００３】
また、この種の観賞用ミニカーは、置いて見たときの美しさを楽しむだけでなく、実際に手にとって重量感を味わい、またドアなどを開けて楽しむこともある。そのため、観賞用ミニカーは、重量感や開閉の安定性を出すために、合金や真鍮などの金属を使ったダイキャストにより製造されることが多い。
【０００４】
ダイキャストは、金属製の精密な鋳型の中に、溶かした合金を圧力をかけて流し込んで鋳造する方法である。これにより製造される鋳物は寸法精度が高いため、ダイキャストは同一規格の製品の多量生産に向いている。ただし、観賞用ミニカーの細部にわたる形状までダイキャストにより成形することはできず、鋳型から抜き出した後に細部を加工する必要がある。従来は、この加工を熟練工による手作業で行う必要があったため、観賞用ミニカーは大量生産をすることができず、また製造コストも高くついてしまうという問題があった。
【０００５】
これに対して、模型の材料としてよく用いられる樹脂製のミニカーであれば、金属に比べて細部の加工がはるかに容易であり、製造コストを抑えることもできる。しかしながら、樹脂製のミニカーは、手に持ったときの重量感がなく、安っぽい印象を与えてしまう。また、樹脂は僅かな力でも撓みやすく、この撓みによってドアやボンネット等の開閉部に関する開閉の安定性も損なわれてしまう。さらに、樹脂の経年劣化によって、開閉部がきちんと閉まらなくなってしまうこともある。
【０００６】
従来、このような問題を解決することを目的として、ボディに取り付けられた左右のドアが開閉可能に構成された観賞用のミニカーにおいて、樹脂製のボディに対して金属製の補強部材を固定するようにしたものが知られている（特許文献１参照）。上記特許文献１に記載のミニカーによれば、細部の加工が容易にできるようにボディを樹脂により成形しつつ、金属製の補強部材によってボディが撓みにくくなるようにするとともに、ユーザが手に持ったときの重量感を出すことが可能である。特に、特許文献１に記載のミニカーは、ボディのドア下に位置する部位であるサイドシルに金属製の補強部材が当接するように構成されている。このため、ドアを開閉する際にサイドシル部分が撓みにくくなり、ドアの開閉の安定性を高めることが可能である。
【先行技術文献】
【特許文献】
【０００７】
【特許文献１】ＷＯ２０１６／０５９８１１号公報
【発明の概要】
【発明が解決しようとする課題】
【０００８】
ところで、金型を使用して樹脂製のボディを製造する工程において、成形されたボディを金型の内部コアから取り外す際に、ボディの下方部分（裾エリア）の形状が外側に変形してしまう傾向がある。図８は、この裾エリアの形状が変形する過程を示す図である。なお、説明を分かりやすくするために、形状を誇張して模式的に示している。
【０００９】
図８（ａ）は、固定側型板（内部コア）２００と、３方向の可動側型板２０１〜２０３との間に形成されるキャビティに溶融樹脂が注入されて樹脂製のボディ１００が形成された後、可動側型板２０１〜２０３がそれぞれ矢印の方向に引き離されてボディ１００が露出した状態を示している。図８（ｂ）は、図８（ａ）のように露出したボディ１００を内部コア２００の上方へ引き抜いている途中の状態を示している。
【００１０】
内部コア２００のほぼ中央部分は、ボディ１００の側面中央形状を成形するための部分であり、外側にやや膨らんでいる。これに対し、内部コア２００の下方部分は、ボディ１００の裾エリアを成形するための部分であり、側面中央部分よりも内側に絞り込まれている。このため、ボディ１００を内部コア２００の上方へ引き抜く工程において、裾エリアが内部コア２００の中央部分を通過するときに、ボディ１００の側面全体が外側に広がってしまう。そして、ボディ１００を内部コア２００から引き抜いた後も、広がったボディ１００の側面が完全には元に戻らず、裾エリアが外側に変形した状態に成形されてしまう。
【００１１】
ボディ１００のドア下に位置する部位であるサイドシルは、ボディ１００の裾エリアに存在する。そのため、裾エリアの形状が外側に変形していると、ボディ１００の内側に設置される金属製の補強部材がサイドシルに当接しにくくなるという問題があった。
【００１２】
本発明は、このような問題を解決するために成されたものであり、左右のドアが開閉可能に構成された樹脂製のボディに対して金属製の補強部材を固定するように構成した観賞用のミニカーにおいて、ボディのドア下の裾エリアを金属製の補強部材に確実に当接させて、ドアの開閉の安定性をより向上させることができるようにすることを目的とする。
【課題を解決するための手段】
【００１３】
上記した課題を解決するために、本発明による自動車型模型では、左右のドアが開閉可能に取り付けられる樹脂製のボディに対して、その内側から金属製の補強部材を固定するようにしている。補強部材は、ボディのドアの下に位置する裾部位が固定されるフレーム部を有している。
【発明の効果】
【００１４】
上記のように構成した本発明によれば、細部の加工が容易にできるようにボディを樹脂により成形しつつも、金属製の補強部材によってボディが撓みにくくなるようにすることができるので、ドアに関する開閉の安定性を出すことができる。特に、ボディのドア下に位置する裾部位が、ボディの製造工程において外側に広がるように成形されてしまった場合でも、当該裾部位が金属製の補強部材に固定されるので、ドア下の裾部位が金属製の補強部材に確実に当接するようになる。これにより、ドアを開閉する際に裾部位が撓みにくくなり、ドアに関する開閉の安定性をより向上させることができる。
【図面の簡単な説明】
【００１５】
【図１】本実施形態による自動車型模型（ミニカー）の構成例を示す組立分解図である。
【図２】本実施形態によるミニカーのボディ、補強部材およびシャーシを裏面から見た状態を示す図である。
【図３】本実施形態のボディに対してドアを開閉可能に取り付けるための構造例を示す図である。
【図４】本実施形態によるボディの裾部位を補強部材のフレーム部に固定するための構造例およびサイドシル部材をボディに固定するための構造例を示す図である。
【図５】本実施形態によるボディの裾部位を補強部材のフレーム部にネジ止めするとともに、サイドシル部材をボディに固定した状態を示す図である。
【図６】本実施形態による変形例に係るミニカーのボディ、補強部材およびシャーシを裏面から見た状態を示す図である。
【図７】本実施形態のボディを補強部材に固定するための他の構造例を示す図である。
【図８】ボディの製造工程において裾エリアの形状が外側に変形する過程を示す図である。
【発明を実施するための形態】
【００１６】
以下、本発明の一実施形態を図面に基づいて説明する。図１は、本実施形態による自動車型模型（ミニカー）の構成例を示す組立分解図である。また、図２は、本実施形態によるミニカーのボディ１０、補強部材２０およびシャーシ３０を裏面から見た状態を示す図である。
【００１７】
図１に示すように、本実施形態のミニカーは、樹脂製のボディ１０と、金属製の補強部材２０と、樹脂製のシャーシ３０とを備え、これらを複数の固定ネジ５１，５２，５３（固定部材の一例）で組み立てられるように構成されている。ここで、シャーシ３０は固定ネジ５１によって補強部材２０に固定され、補強部材２０は固定ネジ５２によってボディ１０に固定される。
【００１８】
すなわち、シャーシ３０には、複数のネジ止孔３１，３２が設けられている。本実施形態では、シャーシ３０のフロント側の左右両サイドに４つのネジ止孔３１が設けられ、リア側の左右両サイドに４つのネジ止孔３２が設けられている。これらのネジ止孔３１，３２は、何れも貫通孔となっている。
【００１９】
また、補強部材２０は、シャーシ３０が備える複数のネジ止孔３１，３２にそれぞれ合致する複数のネジ止孔２１，２２を有している。すなわち、補強部材２０のフロント側の左右両サイドに４つのネジ止孔２１が設けられ、リア側の左右両サイドに４つのネジ止孔２２が設けられている。フロント側のネジ止孔２１は貫通孔であるのに対し、リア側のネジ止孔２２は止め孔となっている。
【００２０】
シャーシ３０のネジ止孔３１，３２および補強部材２０のネジ止孔２１，２２に複数の固定ネジ５１を通すことにより、シャーシ３０は、複数の固定ネジ５１によって補強部材２０に固定される。
【００２１】
なお、シャーシ３０は、フロント側の左右両サイドおよびリア側の左右両サイドに、幅方向の内側に向かって切り込まれた切り欠き部３３を有しており、ここに４本のタイヤ４１，４２が位置するようになっている。
【００２２】
補強部材２０は、フロントタイヤ４１およびリアタイヤ４２をそれぞれ収めるための複数（四輪自動車の場合は４つ）のホイールハウス２３，２４を有する形状に構成されている。補強部材２０の４つのホイールハウス２３，２４は、このホイールハウス２３，２４のカーブに沿ってボディ１０に形成された切り込み部１１に嵌められて、ボディ１０と接する。
【００２３】
本実施形態では、４つのホイールハウス２３，２４のそれぞれの頂部（カーブの頂点付近）にネジ止孔２５Ｆ，２５Ｒを有している。この例では、フロントタイヤ４１用の左右のホイールハウス２３にネジ止孔２５Ｆが１つずつ設けられ、リアタイヤ４２用の左右のホイールハウス２４にネジ止孔２５Ｒが１つずつ設けられている。これらのネジ止孔２５Ｆ，２５Ｒは、何れも高さの低い円筒形状をしており、貫通孔となっている。
【００２４】
また、ボディ１０は、補強部材２０が備える複数のネジ止孔２５Ｆ，２５Ｒにそれぞれ合致する複数のネジ止孔１５Ｆ，１５Ｒを有している。すなわち、フロントタイヤ４１用の左右のホイールハウス２３が収まる位置にネジ止孔１５Ｆが１つずつ設けられ、リアタイヤ４２用の左右のホイールハウス２４が収まる位置にネジ止孔１５Ｒが１つずつ設けられている。これらのネジ止孔１５Ｆ，１５Ｒは、何れも止め孔となっている。
【００２５】
これにより、補強部材２０は、複数のホイールハウス２３，２４がボディ１０の切り込み部１１に対して嵌合する。また、補強部材２０は、補強部材２０のネジ止孔２５Ｆ，２５Ｒおよびボディ１０のネジ止孔１５Ｆ，１５Ｒに複数の固定ネジ５２を通すことにより、複数のホイールハウス２３，２４の位置において複数の固定ネジ５２によりボディ１０に固定される。
【００２６】
本実施形態では、左右のドア１２をボディ１０に対して開閉可能に取り付けるようにしている。図３は、ボディ１０に対してドア１２を開閉可能に取り付けるための構造例を示す図である。図３に示すように、本実施形態では、ボディ１０側およびドア１２側に一対として設けたヒンジ１４によって、ボディ１０に対してドア１２を開閉可能に取り付けている。なお、ヒンジ１４を用いた取付方法は一例にすぎず、これ以外の方法によってドア１２をボディ１０に対して開閉可能に取り付けるようにしてもよい。
【００２７】
補強部材２０は、前後方向の長さに関して、フロントタイヤ４１が存在するフロント側の領域からリアタイヤ４２が存在するリア側の領域までを含む大きさに構成されている。また、補強部材２０は、左右方向の幅に関して、左側のタイヤが存在する領域から右側のタイヤが存在する領域までを含む大きさに構成されている。このような形状に構成することにより、補強部材２０は、これをボディ１０に装着したときに、ボディ１０の下面開放部のほぼ全域を塞ぐようになっている。
【００２８】
また、補強部材２０は、ボディ１０のドア１２の下に位置する裾部位１６が固定されるフレーム部２９を有している。図４（ａ）および（ｂ）は、本実施形態によるボディ１０の裾部位１６を補強部材２０のフレーム部２９に固定するための構造例を示す図である。
【００２９】
図４（ａ）および図１に示すように、フレーム部２９は、ホイールハウス２３，２４の幅方向の最外位置よりも内側の位置に存在する。一方、図４（ｂ）および図２に示すように、ボディ１０の左右のドア１２の下に位置する裾部位１６は、補強部材２０をボディ１０に装着したときにフレーム部２９に当接するように、ドア１２の最下部の車幅方向の位置よりも内側の位置に設けられている。すなわち、裾部位１６は、ドア１２の最下部の位置から内側に窪んだ凹状の空間の側壁に相当する。なお、ホイールハウス２３，２４の幅方向の最外位置と、ドア１２の最下部の車幅方向の位置とはほぼ同じ位置である。
【００３０】
このように、裾部位１６を有する形状にボディ１０を構成するとともに、フレーム部２９を有する形状に補強部材２０を構成することにより、補強部材２０をボディ１０に装着したときに、補強部材２０の左右のフレーム部２９がボディ１０の左右の裾部位１６と当接するようになっている。そして、裾部位１６が当接する面積が大きくなるように、フレーム部２９は一定の高さを持って立設された敷居の構造となっている。
【００３１】
フレーム部２９には、複数のネジ止孔２６が設けられている。この複数のネジ止孔２６は、何れも高さの低い円柱状の止め孔となっている。また、裾部位１６には、フレーム部２９が備える複数のネジ止孔２６にそれぞれ合致する位置に、複数のネジ止孔１７が設けられている。このネジ止孔１７は、フレーム部２９のネジ止孔２６の径よりも若干径の大きい貫通孔である。この裾部位１６のネジ止孔１７（貫通孔）にフレーム部２９のネジ止孔２６（止め孔）を通し、ネジ止孔２６に複数の固定ネジ５３を固定することにより、裾部位１６がフレーム部２９に固定されるようになっている。
【００３２】
図１および図２に示すように、ボディ１０のドア１２の下には、裾部位１６を覆うサイドシル部材１３が備えられている。サイドシルとは、側面の敷居という意味で、左右のドア１２の真下にある部材のことである。図４（ａ）および（ｂ）のようにフレーム部２９に裾部位１６をネジ止めすると、固定ネジ５３の頭が外側から見える状態となる。この固定ネジ５３を含めて裾部位１６を隠して見えなくなるようにするために、裾部位１６の外側にサイドシル部材１３が取り付けられる。
【００３３】
図４（ｂ）および（ｃ）は、本実施形態によるサイドシル部材１３をボディ１０に固定するための構造例を示す図である。図４（ｂ）および図２に示すように、ドア１２の最下部の車幅方向の位置よりも内側の位置に、サイドシル受け部１８が設けられている。このサイドシル受け部１８も裾部位１６と同様、ドア１２の最下部の位置から内側に窪んだ凹状の空間の側壁に相当する。
【００３４】
なお、窪みの深さは、サイドシル受け部１８の方が裾部位１６よりも浅くなっている。サイドシル受け部１８の窪みの深さは、サイドシル部材１３の厚みとほぼ同じである。これにより、サイドシル受け部１８にサイドシル部材１３を固定したときに、サイドシル部材１３の外面と、当該サイドシル部材１３が固定された位置の周囲のボディ１０の外面とが揃うようになっている。
【００３５】
図４（ｂ）に示すように、サイドシル受け部１８には、複数の止め孔１８Ａが設けられている。一方、図４（ｃ）に示すように、サイドシル部材１３の裏面には、サイドシル受け部１８が備える複数の止め孔１８Ａにそれぞれ合致する位置に、複数の突起１３Ａが設けられている。この突起１３Ａを止め孔１８Ａに嵌合させることにより、サイドシル部材１３をサイドシル受け部１８に固定させることができるようになっている。
【００３６】
図５は、本実施形態によるボディ１０の裾部位１６を補強部材２０のフレーム部２９にネジ止めするとともに、サイドシル部材１３をボディ１０に固定した状態を示す図である。図５に示すように、補強部材２０をボディ１０に装着すると、裾部位１６とフレーム部２９とが当接する。このとき、裾部位１６のネジ止孔１７（貫通孔）にフレーム部２９のネジ止孔２６（止め孔）が通されている。そして、ネジ止孔２６に複数の固定ネジ５３を固定することにより、裾部位１６がフレーム部２９に固定される。また、サイドシル受け部１８に設けられている複数の止め孔１８Ａに対し、サイドシル部材１３の裏面に設けられている複数の突起１３Ａを嵌合させることにより、サイドシル部材１３がサイドシル受け部１８に固定される。
【００３７】
なお、ここでは、サイドシル受け部１８の窪みの深さを裾部位１６の窪みの深さよりも浅くする構成について説明しているが、両者の窪みの深さを同じとしてもよい。この場合は、サイドシル部材１３の突起１３Ａの長さを長くすることにより、サイドシル部材１３の外面と、当該サイドシル部材１３が固定された位置の周囲のボディ１０の外面とが揃うようにした状態で、サイドシル受け部１８にサイドシル部材１３を固定することが可能である。
【００３８】
本実施形態では、クルマの外装部分であるボディ１０およびシャーシ３０を樹脂により構成している。樹脂は細部の加工が金属に比べて極めて容易である。そのため、ボディ１０およびシャーシ３０の原型を金型により多量生産し、その後に手作業によって細部を本物のクルマに似せてリアルに加工することを容易に行うことができる。
【００３９】
また、本実施形態では、補強部材２０を、座席のシート（図示せず）を収納するためのシート収納部２７およびダッシュボード（図示せず）を設置するためのダッシュボード設置部２８を備えた構成としている。これらのシート収納部２７およびダッシュボード設置部２８に対し、例えば樹脂製のシートおよびダッシュボードを装着することにより、クルマの内装も本物に似せてリアルに再現することができる。
【００４０】
上述したように、ドア１２の下に位置する裾部位１６は、ボディ１０の内側に内装されている補強部材２０のフレーム部２９に当接し、固定ネジ５３によって固定されている。裾部位１６は、ボディ１０の製造工程において外側に広がるように成形されてしまった場合でも、補強部材２０のフレーム部２９にネジ５３によって固定されるので、ドア１２の下の裾部位１６が金属製の補強部材２０に確実に当接するようになる。このため、ドア１２を閉めたときに、その力によってボディ１０（特に、裾部位１６およびこれを覆うサイドシル部材１３の部分）が内側に撓むことを防ぐことができる。これにより、ドア１２を開閉する際にサイドシル部材１３の部分が撓みにくくなり、ドア１２に関する開閉の安定性を出すことができる。
【００４１】
以上に説明したように、本実施形態では、樹脂製のボディ１０に対して金属製の補強部材２０を固定しているので、細部の加工が容易にできるようにボディ１０を樹脂により成形しつつも、金属製の補強部材２０によってボディ１０が撓みにくくなるようにすることができる。
【００４２】
特に、本実施形態では、補強部材２０を４つのホイールハウス２３，２４を備える形状に構成し、このホイールハウス２３，２４をボディ１０の切り込み部１１に嵌合させている。さらに、当該ホイールハウス２３，２４の位置において固定ネジ５２によって補強部材２０をボディ１０に固定させるようにしている。これにより、樹脂製のボディ１０が極めて撓みにくい構成とすることができる。
【００４３】
また、本実施形態では、補強部材２０にフレーム部２９を設け、当該フレーム部２９がボディ１０の裾部位１６と当接するようにするとともに、裾部位１６をフレーム部２９にネジ止めによって固定するようにしている。そして、ネジ止めされた裾部位１６を覆うようにサイドシル部材１３を取り付けるようにしている。これにより、サイドシル部材１３の部分に必要な剛性強度を確保することができるので、ドア１２を開閉する際にサイドシル部材１３の部分が撓みにくくなり、ドア１２に関する開閉の安定性を出すことができる。
【００４４】
これにより、何も補強がなければ撓みやすい樹脂製のボディ１０に対して、図３のようにヒンジ１４を用いてドア１２などの開閉部を取り付けた場合に、ボディ１０の撓みによってドア１２がきちんと閉まらなくなるような状態を回避し、開閉の安定性を出すことができる。また、補強部材２０が金属により構成され、かつ、これがボディ１０の下面開放部のほぼ全域を塞ぐように比較的大きく形成されているので、ユーザが手に持ったときの重量感を出すこともできる。
【００４５】
なお、上記実施形態では、補強部材２０が前後左右に４つホイールハウス２３，２４を備え、当該ホイールハウス２３，２４の部分で固定ネジ５２によってボディ１０に補強部材２０を固定させる例について説明したが、本発明はこれに限定されない。例えば、ホイールハウス２３，２４以外の部分でのネジ止めによって補強部材２０をボディ１０に固定させるようにしてもよい。この場合、補強部材２０は必ずしもホイールハウス２３，２４を有する形状に構成しなくてもよい。
【００４６】
例えば、補強部材２０を金属製の平板により構成することも可能である。ただし、補強部材２０をホイールハウス２３，２４を有する形状に構成して、当該ホイールハウス２３，２４の部分で補強部材２０をボディ１０に固定させた方が、ボディ１０と補強部材２０とがより多くの面積で接触し、ボディ１０がより撓みにくい構造とすることができる点で好ましい。
【００４７】
別の例として、補強部材２０がフロントタイヤ４１用のホイールハウス２３のみを備える構成、または、補強部材２０がリアタイヤ４２用のホイールハウス２４のみを備える構成としてもよい。この場合は、ホイールハウス２３，２４の部分で固定ネジ５２によってボディ１０に補強部材２０を固定させることが可能である。
【００４８】
また、ドア１２の開閉に安定性を出す目的のためには、少なくともサイドシル部材１３の部分が撓みにくくなればよい。よって、補強部材２０は、サイドシル部材１３によって覆われる裾部位１６に当接するフレーム部２９が少なくとも存在する構成であればよい。
【００４９】
また、補強部材２０または上述した変形例に係る補強部材（第１の補強部材に相当）に加えて、ボディ１０のルーフの内面に沿う形状に構成された第２の補強部材をさらに備えるようにしてもよい。このようにすれば、第１の補強部材によってボディ１０の主に下面側（シャーシ３０側）を補強し、第２の補強部材によってボディ１０の主に上面側を補強することができ、ボディ１０がより撓みにくくなるようにすることができる。
【００５０】
また、上記実施形態では、シャーシ３０を樹脂製とする例について説明したが、本発明はこれに限定されない。例えば、シャーシ３０を金属製とすることにより、より重量感を出せるようにしてもよい。観賞用のミニカーとしては、シャーシ３０の裏側も実物のクルマに似せて細部を加工することがあるため、加工の容易さを考慮すれば、シャーシ３０は樹脂製であることが好ましい。ただし、車種によっては、実物のクルマもシャーシの裏側がそれほど複雑な構造となっておらず、シャーシ３０を簡単な加工で製造できる場合がある。そのような車種の場合は、シャーシ３０を金属製とすることが可能である。
【００５１】
また、上記実施形態では、車長（前後方向の長さ）のほぼ全域および車幅（左右方向の長さ）のほぼ全域を含む大きさに補強部材２０を構成する例について説明したが、本発明はこれに限定されない。例えば、図６に示すように、少なくとも車幅のほぼ全域を含む大きさに補強部材２０’を構成し、当該補強部材２０’にフレーム部２９を設ける構成としてもよい。
【００５２】
なお、図６の例では、補強部材２０’には、その四隅に当たる位置に複数のネジ止孔２２（止め孔）が設けられている。一方、シャーシ３０’には、図２に示したネジ止孔３１はなく、補強部材２０’が備える複数のネジ止孔２２にそれぞれ合致する位置に、複数のネジ止孔３２（貫通孔）が設けられている。このネジ止孔２２とネジ止孔３２とを通して、複数の固定ネジ５１によってシャーシ３０’が補強部材２０’に固定されるようになっている。
【００５３】
また、シャーシ３０’には、ボディ１０が備える複数のネジ止孔１５Ｆ，１５Ｒ（止め孔）にそれぞれ合致する位置に、複数のネジ止孔３５Ｆ，３５Ｒ（何れも高さの高い円筒形状をした貫通孔）が設けられている。このネジ止孔１５Ｆ，１５Ｒとネジ止孔３５Ｆ，３５Ｒとを通して、複数の固定ネジ（図１に示した固定ネジ５２よりも足が長いもの）によってシャーシ３０’がボディ１０に固定されるようになっている。
【００５４】
なお、図６に示したボディ１０、補強部材２０’およびシャーシ３０’の固定方法（ネジ止めの位置）は一例に過ぎず、この方法に限定されるものではない。
【００５５】
また、上記実施形態では、ボディ１０、補強部材２０，２０’およびシャーシ３０，３０’を固定ネジによって固定する例について説明したが、本発明はこれに限定されない。例えば、接着剤により固定するようにしてもよい。あるいは、図４に示した突起１３Ａおよび止め孔１８Ａのような凹凸構造を設け、凸部を凹部に嵌合させることにより固定するようにしてもよい。更に別の例として、爪形状のフック構造を設け、当該フック構造を用いて２つの部材を係止させることによって固定するようにしてもよい。これらの凹凸構造やフック構造は、特許請求の範囲の係合部に相当する。
【００５６】
また、上記実施形態では、補強部材２０のフレーム部２９が、ホイールハウス２３，２４の幅方向の最外位置（ドア１２の最下部の車幅方向の位置とほぼ同位置）よりも内側の位置に存在する構成について説明した。この場合、ボディ１０の裾部位１６がフレーム部２９に当接するように、裾部位１６をドア１２の最下部の位置よりも内側の位置に設け、その裾部位１６を覆うようにサイドシル部材１３を取り付ける構成としていた。しかし、本発明は、このような構成に限定されない。
【００５７】
例えば、図７に示すように、補強部材２０”のフレーム部２９”が、ホイールハウス２３，２４の幅方向の最外位置とほぼ同位置に存在する構成としてもよい。この場合、ドア１２の最下部の位置よりも内側に位置するように裾部位１６を構成することは不要である。また、サイドシル部材１３をボディ１０と別体として構成する必要はなく、サイドシル１３”をボディ１０”と一体成形するようにしてよい。この場合、サイドシル１３”が特許請求の範囲の裾部位に相当する。
【００５８】
図７のように構成した場合、サイドシル１３”に貫通孔を設け、その貫通孔に固定ネジを通すことによってサイドシル１３”をフレーム部２９”に固定すると、固定ネジの頭がサイドシル１３”の外側にむき出しになってしまい、外観上好ましくない。そこで、ボディ１０”のサイドシル１３”（裾部位）の内面および補強部材２０”のフレーム部２９”の外面のそれぞれに、サイドシル１３”とフレーム部２９”とを係合させる係合部を設けるとよい。係合部の一例として、図７に示すように、フレーム部２９”の外面に複数の止め孔２６”を設けるとともに、サイドシル１３”の裏面で複数の止め孔２６”にそれぞれ対向する位置に複数の突起（図示せず）を設ける構成を用いることが可能である。
【００５９】
また、上記実施形態にて示したボディ１０，１０”、補強部材２０，２０’，２０”およびシャーシ３０，３０’の形状は一例に過ぎず、車種に応じて形状が変わることは言うまでもない。
【００６０】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００６１】
１０，１０”  ボディ
１１  ホイールハウスが収容される切り込み
１２  ドア
１３  サイドシル部材
１３”  サイドシル（裾部位）
１４  ヒンジ
１６  裾部位
１７  ネジ止孔
２０，２０’，２０”  補強部材
２１，２２  ネジ止孔
２３，２４  ホイールハウス
２５Ｆ，２５Ｒ  ネジ止孔
２６  ネジ止孔
２６”  止め孔（係合部）
２７  シート収納部
２８  ダッシュボード設置部
２９，２９”  フレーム部
３０，３０’  シャーシ
３１，３２  ネジ止孔
３３  タイヤが収容される切り込み
【図１】
2019097582.tif 000003
【図２】
2019097582.tif 000004
【図３】
2019097582.tif 000005
【図４】
2019097582.tif 000006
【図５】
2019097582.tif 000007
【図６】
2019097582.tif 000008
【図７】
2019097582.tif 000009
【図８】
2019097582.tif 000010
【手続補正書】
【提出日】平成31年1月22日(2019.1.22)
【手続補正１】
【補正対象書類名】特許請求の範囲
【補正対象項目名】全文
【補正方法】変更
【補正の内容】
【特許請求の範囲】
【請求項１】
左右のドアが開閉可能に取り付けられる樹脂製のボディと、
上記ボディの内側に着脱可能に固定される金属製の補強部材と、
上記補強部材に着脱可能に固定されるシャーシとを備え、
上記ボディは、上記左右のドアの下に配置された左右の裾部位を含み、
上記補強部材は、上記ボディの上記裾部位が固定されるフレーム部を有し、
上記補強部材を上記ボディに装着したときに、上記補強部材の左右のフレーム部が上記ボディの左右の裾部位と当接し、
上記補強部材の左右のフレーム部のそれぞれには複数のネジ止孔が設けられ、上記ボディの左右の裾部位のそれぞれには複数のネジ止孔が設けられ、
上記フレーム部に設けられた複数のネジ止孔および上記裾部位に設けられた複数のネジ止孔は、上記補強部材を上記ボディに装着したときにそれぞれが合致する位置に配置され、
上記左右の裾部位のそれぞれおよび上記左右のフレーム部のそれぞれにおいて、互いに合致する位置に配置された複数のネジ止孔に複数の固定ネジを固定することにより、上記左右のドアを開閉する際に上記裾部位が撓みにくくなるように構成した
ことを特徴とする自動車型模型。
【請求項２】
上記複数のネジ止孔およびこれに固定された上記固定ネジを含めて上記裾部位を外側から隠して見えなくなるようにするために、上記左右の裾部位に対応する位置に着脱可能に取り付けて当該左右の裾部位を覆う左右のサイドシル部材を更に備えたことを特徴とする請求項１に記載の自動車型模型。
【請求項３】
上記ドアの最下部の車幅方向の位置よりも内側の位置に設けられたサイドシル受け部に設けられた複数の止め孔と、
上記サイドシル部材の裏面で上記複数の止め孔にそれぞれ合致する位置に設けられた複数の突起とを備え、
上記複数の止め孔に上記複数の突起を嵌合させ、上記サイドシル部材を上記サイドシル受け部に固定させることにより、上記サイドシル部材によって上記裾部位を覆うように構成した
ことを特徴とする請求項２に記載の自動車型模型。
【請求項４】
上記補強部材は、上記ボディの下側から挿通可能な複数のネジ止孔と複数の固定ネジとにより上記ボディの内側に着脱可能に固定され、
上記シャーシは、上記補強部材の下側から挿通可能な複数のネジ止孔と複数の固定ネジとにより上記補強部材に着脱可能に固定される
ことを特徴とする請求項１〜３の何れか１項に記載の自動車型模型。
【請求項５】
上記補強部材の左右のフレーム部のそれぞれに設けられた複数のネジ止孔および上記ボディの左右の裾部位のそれぞれに設けられた複数のネジ止孔に挿入するための複数の固定ネジを更に備えたことを特徴とする請求項４に記載の自動車型模型。
【請求項６】
上記補強部材は、左右のフロントタイヤ用および左右のリアタイヤ用に複数のホイールハウスを更に有し、
上記左右のフレーム部はそれぞれ、上記補強部材の対向する周縁に沿って、左フロントタイヤ用のホイールハウスと左リアタイヤ用のホイールハウスとの間および右フロントタイヤ用のホイールハウスと右リアタイヤ用のホイールハウスとの間に配置されており、
上記補強部材が上記ボディの内側に取り付けられ、上記シャーシが上記補強部材に取り付けられた状態で、上記左右のフレーム部は上記シャーシの左右の位置に配置される
ことを特徴とする請求項１〜５の何れか１項に記載の自動車型模型。
【手続補正２】
【補正対象書類名】明細書
【補正対象項目名】００１３
【補正方法】変更
【補正の内容】
【００１３】
上記した課題を解決するために、本発明による自動車型模型は、左右のドアが開閉可能に取り付けられる樹脂製のボディと、ボディの内側に着脱可能に固定される金属製の補強部材と、補強部材に着脱可能に固定されるシャーシとを備える。ボディは、左右のドアの下に配置された左右の裾部位を含み、補強部材は、ボディの裾部位が固定されるフレーム部を有する。補強部材をボディに装着したときに、補強部材の左右のフレーム部がボディの左右の裾部位と当接する。補強部材の左右のフレーム部のそれぞれには複数のネジ止孔が設けられ、ボディの左右の裾部位のそれぞれには複数のネジ止孔が設けられ、フレーム部に設けられた複数のネジ止孔および裾部位に設けられた複数のネジ止孔は、補強部材をボディに装着したときにそれぞれが合致する位置に配置されており、左右の裾部位のそれぞれおよび左右のフレーム部のそれぞれにおいて、互いに合致する位置に配置された複数のネジ止孔に複数の固定ネジを固定することにより、左右のドアを開閉する際に裾部位が撓みにくくなるように構成している。